(57)【要約】【課題】給電ラインの引出口を上下方向の何れにむけても取り付けることができる車両アンテナ用コネクタを提供する。【解決手段】給電部１０においてハウジング部１２の背面に、車両のガラスに貼り付けられたアンテナから電波を取り出す一対の給電端子１１が引き出されている。ハウジング部１２の形状は、一対の給電端子１１間の中心を中心点Ａとして点対称に形成されている。また、ハウジング部１２には、位置合わせ用マーク１２ｂが形成され、この位置合わせ用マーク１２ｂも、中心点Ａに対して点対称位置に形成されている。【選択図】図４
2005294955.tif 000002
【特許請求の範囲】
【請求項１】
車両のガラスに貼り付けられたアンテナから電波を取り出す給電端子と、一面に前記給電端子が引き出されているハウジング部とを備えた車両アンテナ用コネクタであって、
前記給電端子は所定の点を中心点として点対称に配置され、
前記ハウジング部の形状は前記所定の点を中心点として点対称に形成されていることを特徴とする車両アンテナ用コネクタ。
【請求項２】
請求項１記載の車両アンテナ用コネクタであって、
前記ハウジング部の一面には２つの前記給電端子が引き出されており、
前記ハウジング部の形状は当該２つの給電端子間の中心を前記中心点として点対称に形成されていることを特徴とする車両アンテナ用コネクタ。
【請求項３】
請求項１又は２記載の車両アンテナ用コネクタであって、
前記ハウジング部には、前記中心点に対して点対称に位置合わせ用マークが形成されていることを特徴とする車両アンテナ用コネクタ。
【請求項４】
車両のガラスに貼り付けられたアンテナから電波を取り出す給電端子と、一面に前記給電端子が引き出されているハウジング部と、該ハウジング部に設けられた位置合わせ用マークとを備えた車両アンテナ用コネクタであって、
前記給電端子は所定の点を中心として点対称に配置され、
前記位置合わせ用マークは前記所定の点を中心として点対称に形成されていることを特徴とする車両アンテナ用コネクタ。
【請求項５】
請求項４記載の車両アンテナ用コネクタであって、
前記ハウジング部の一面には２つの前記給電端子が引き出されており、
前記位置合わせ用マークは当該２つの給電端子間の中心を前記中心点として点対称に形成されていることを特徴とする車両アンテナ用コネクタ。
【請求項６】
請求項３、４又は５記載の車両アンテナ用コネクタであって、
前記位置合わせ用マークが印刷又は捺印によって形成されていることを特徴とする車両アンテナ用コネクタ。
【請求項７】
請求項３、４又は５記載の車両アンテナ用コネクタであって、
前記ハウジング部において、前記給電端子が設けられている一面に対する側面に突起部を設け、当該突起部を前記位置合わせ用マークとすることを特徴とする車両アンテナ用コネクタ。
【請求項８】
請求項３、４又は５記載の車両アンテナ用コネクタであって、
前記ハウジング部において、前記給電端子が設けられている一面に対する側面に凸部又は凹部を設け、当該凸部又は凹部の側面を前記位置合わせ用マークとすることを特徴とする車両アンテナ用コネクタ。
【請求項９】
請求項１〜８何れか１項記載の車両アンテナ用コネクタであって、
前記ハウジング部において、前記給電端子が設けられている一面と対向する正面又は側面から引き出された給電ラインと、
前記ハウジング部正面に設けられ、前記給電ラインを収容可能な収容溝とをさらに備えたことを特徴とする車両アンテナ用コネクタ。
【発明の詳細な説明】
【技術分野】
【０００１】
本発明は、車両アンテナ用コネクタに関するものである。
【背景技術】
【０００２】
車両に取り付けるアンテナとして、フィルムアンテナ等のように車両のガラスに貼り付けるタイプのアンテナがある。このような車両のガラスに貼り付けるアンテナに対する給電部（車両アンテナ用コネクタ）としては、図１に示されたようなものが知られている。同図に示すように、給電部１０は、車両アンテナから電波を取り出す一対の給電端子１１と、この一対の給電端子１１が一面から引き出されているハウジング部１２とから構成されている。また、ハウジング部１２は、図面中下側に凸部１２ａが設けられており、その凸部１２ａから給電ライン１３が引き出されている。
【０００３】
この給電部１０の車両のガラスに貼り付けられたアンテナに対する接続は以下に示す手順で行われている。まず、アンテナを例えばフロントガラスに貼り付ける。図２に示すように、車両のガラスに貼り付けられたアンテナであるフィルムアンテナ２０には、給電部１０の貼付位置に、例えば、給電部１０の外形２１が印刷などにより描かれている。このフィルムアンテナ２０に描かれた外形２１と、給電部１０の外形とが重なるように、フィルムアンテナ２０上に給電部１０を貼り付ける。これにより、フィルムアンテナ２０の接続端子２２と給電部１０の給電端子１１とが電気的に接続される。
【０００４】
取付例としては、図３（ａ）に示すように、給電部１０がフロントガラス３０の縁に沿うように、かつ、給電ライン１３の引出口を上側のルーフ部４０に向けて取り付けていた。しかしながら、例えば、図３（ｂ）に示すようにフロントガラス３０とルーフ部４０との境界がフラットになっていない車両の場合、給電部１０をフロントガラス３０の縁に沿うように取り付けることができない。
【０００５】
この場合、例えば、給電ライン１３の引出口を下側に向けて給電部１０を取り付ければ、フロントガラス３０の縁に沿って給電部１０を取り付けることができる。しかしながら、従来の給電部１０は給電ライン１３の引出口を下側に向けて取り付けることは想定しておらず、フィルムアンテナ２０に描かれている外形２１と、給電部１０の外形とが一致しなくなり、フィルムアンテナ２０に対する給電部１０の位置合わせが困難であった。
【０００６】
そこで、従来では、図３（ｂ）に示すように、フロントガラス３０の縁より下側に給電部１０を貼り付けていたが、この場合、見た目がよくないという問題があった。
【発明の開示】
【発明が解決しようとする課題】
【０００７】
本発明が解決しようとする課題には、上記した問題が一例として上げられる。
【課題を解決するための手段】
【０００８】
上記課題を解決するためになされた請求項１記載の発明は、車両のガラスに貼り付けられたアンテナから電波を取り出す給電端子と、一面に前記給電端子が引き出されているハウジング部とを備えた車両アンテナ用コネクタであって、前記給電端子は所定の点を中心点として点対称に配置され、前記ハウジング部の形状は前記所定の点を中心点として点対称に形成されていることを特徴とする車両アンテナ用コネクタに存する。
【０００９】
請求項４記載の発明は、車両のガラスに貼り付けられたアンテナから電波を取り出す給電端子と、一面に前記給電端子が引き出されているハウジング部と、該ハウジング部に設けられた位置合わせ用マークとを備えた車両アンテナ用コネクタであって、前記給電端子は所定の点を中心として点対称に配置され、前記位置合わせ用マークは前記所定の点を中心として点対称に形成されていることを特徴とする車両アンテナ用コネクタに存する。
【発明を実施するための最良の形態】
【００１０】
実施の形態
本発明に係る車両アンテナ用コネクタの実施の形態について説明する。実施の形態における車両アンテナ用コネクタは、図４〜図７に示すように、給電端子、ハウジング部、位置合わせ用マーク、及び給電ラインにより構成されている。給電端子は、フィルムアンテナのような車両のガラスに貼り付けられたアンテナから電波を取り出す。ハウジング部は、給電端子と給電ラインとが設けられた筐体である。位置合わせ用マークをさらに設けるようにしてもよい。
【００１１】
位置合わせ用マークは、車両アンテナ用コネクタを取り付ける際、アンテナに対する車両アンテナ用コネクタの位置を合わせることを可能にする目印等である。給電ラインは、給電端子がアンテナから取り出した電波を受信機などに送信する。
【００１２】
本実施の形態における車両アンテナ用コネクタにおいて、給電端子は所定の点を中心点として点対称に配置され、ハウジング部の形状は所定の点を中心点として点対称に形成されている。このようにすることで、所定の点を中心として１８０度回転させても、給電端子の位置及びハウジング部の形状は変わらない。従って、車両アンテナ用コネクタを、所定の点を中心として１８０度回転させた状態でも、車両のガラスに貼り付けられたアンテナに対して位置合わせ可能に、取り付けることができる。
【００１３】
また、ハウジング部の一面には２つの給電端子が引き出されており、ハウジング部の形状は当該２つの給電端子間の中心を中心点として点対称に形成されているようにしてもよい。このようにすることで、２つの給電端子間の中心を中心点として１８０度回転させても、給電端子の位置及びハウジング部の形状は変わらない。従って、車両アンテナ用コネクタを、給電端子間の中心を中心点として１８０度回転させた状態でも、車両のガラスに貼り付けられたアンテナに対して位置合わせ可能に取り付けることができる。
【００１４】
また、ハウジング部には、中心点に対して点対称に位置合わせ用マークが形成されているようにしてもよい。このようにすることで、車両アンテナ用コネクタを、中心点に対して１８０度回転させた状態でも、位置合わせ用マークを用いて車両のガラスに貼り付けら得たアンテナに対して位置合わせ可能に取り付けることができる。
【００１５】
また、本実施の形態における車両アンテナ用コネクタにおいて、給電端子は所定の点を中心として点対称に配置され、位置合わせ用マークは所定の点を中心として点対称に形成されている。このようにすることで、所定の点を中心として１８０度回転させても、給電端子の位置及び位置合わせ用マークの位置は変わらない。従って、車両アンテナ用コネクタを、所定の点を中心として１８０度回転させた状態でも、位置合わせ用マークを用いて車両のガラスに貼り付けられたアンテナに対して位置合わせ可能に、取り付けることができる。
【００１６】
また、ハウジング部の一面には２つの前記給電端子が引き出されており、位置合わせ用マークは当該２つの給電端子間の中心を前記中心点として点対称に形成されているようにしてもよい。このようにすることで、２つの給電端子間の中心を中心点として１８０度回転させても、給電端子の位置及び位置合わせ用マークの位置は変わらない。従って、車両アンテナ用コネクタを、給電端子間の中心を中心点として１８０度回転させた状態でも、位置合わせ用マークを用いて車両のガラスに貼り付けられたアンテナに対して位置合わせ可能に取り付けることができる。
【００１７】
また、位置合わせ用マークが印刷又は捺印によって形成されているようにしてもよい。このようにすることで、印刷又は捺印により簡単に位置合わせ用マークを形成することができる。
【００１８】
また、ハウジング部において、給電端子が設けられている一面に対する側面に突起部を設け、当該突起部を位置合わせ用マークとするようにしてもよい。このようにすることで、ハウジング部を形成する際に突起部を設ければ、ハウジング部の形成とは別の工程で、位置合わせ用マークを形成する必要がなく、コストダウンを図ることができる。
【００１９】
また、ハウジング部において、給電端子が設けられている一面に対する側面に凸部又は凹部を設け、当該凸部又は凹部の側面を位置合わせ用マークとするようにしてもよい。このようにすることで、ハウジング部を形成する際に凸部又は凹部を設ければ、ハウジング部の形成とは別の工程で、位置合わせ用マークを形成する必要がなく、コストダウンを図ることができる。
【００２０】
また、ハウジング部において、給電端子が設けられている一面と対向する正面又は側面から引き出された給電ラインと、ハウジング部正面に設けられ、給電ラインを収容可能な収容溝とをさらに備えるようにしてもよい。このようにすることで、給電ラインを収容溝に収容することができるため見た目がすっきりする。
【００２１】
実施例
図４は、本発明の車両アンテナ用コネクタとしての給電部の一実施例を示す図である。本実施例においては車両のガラスに貼り付けるアンテナとしてフィルムアンテナを用いて説明する。同図に示すように、給電部１０は、フィルムアンテナ２０から電波を取り出す一対の給電端子１１と、背面に給電端子１１が引き出されているハウジング部１２と、ハウジング部１２の長手方向側面から引き出された給電ライン１３とを備えている。このハウジング部１２は、一対の給電端子１１間の中心を中心点Ａ（＝所定の点）として点対称に形成されている。
【００２２】
また、ハウジング部１２の長手方向側面には、突起部が形成されており、この突起部が位置合わせ用マーク１２ｂとなる。図４に示すように、この位置合わせ用マーク１２ｂからフィルムアンテナ２０のアンテナ線２３が引き出されるような位置に給電部１０をフィルムアンテナ２０上に貼り付けると、フィルムアンテナ２０の接続端子２１と給電部１０の給電端子１１とが電気的に接続されるようになっている。また、ハウジング部１２を形成する際に突起部を設ければ、ハウジング部１２の形成とは別の工程で、位置合わせ用マーク１２ｂを形成する必要がなく、コストダウンを図ることができる。
【００２３】
そして、この位置合わせ用マーク１２ｂも、中心点Ａに対して点対称に形成されている。以上の構成により、給電ライン１３の引出口を上側に向けた場合も、中心点Ａを中心にして１８０度回転させ、給電ライン１３の引出口を下側に向けた場合も、給電端子１１の位置、ハウジング部１２の形状、位置合わせ用マーク１２ｂの位置は変わらない。
【００２４】
従って、図５（ａ）に示すように、例えば、フロントガラス３０とルーフ部４０との境界に段差があるような場合は、給電ライン１３の引出口を下側に向けて、給電ライン１３の引出面に形成された位置合わせ用マーク１２ｂを使って位置合わせして、給電部１０を貼り付けることができる。これに対して、図５（ｂ）に示すように、例えば、フロントガラス３０とルーフ部４０との境界がフラットな場合は、給電ライン１３の引出口を上側に向けて、給電ライン１３の引出面と対向する面に設けられた位置合わせ用マーク１２ｂを使って位置合わせして、給電部１０を貼り付けることができる。
【００２５】
従って、給電部１０を１８０度回転させても取付が可能となる、つまり、給電ライン１３の引出口を上下方向の何れに向けても取付が可能となるため、今まで取付ができなかったり、取付が困難であった図５（ａ）に示すようなタイプの車にも給電部１０を簡単に取り付けることができるようになる。
【００２６】
なお、上述した実施例では、ハウジング部１２形状が点対称であったが、位置合わせ用マーク１２ｂを点対称な位置に形成できる形状であれば、ハウジング部１２全体の形状が点対称である必要はない。
【００２７】
また、上述した実施例では、側面に設けた突起部を位置合わせ用マーク１２ｂとしていた。位置合わせ用マークとしては、この場合に限らず、例えば、図６（ａ）及び（ｂ）に示すように、側面に凸部又は凹部を設け、その凸部又は凹部の側面を位置合わせ用マーク１２ｂとすることも考えられる。この場合も、上述した突起部と同様に、ハウジング部１２を形成する際に凸部又は凹部を設ければ、ハウジング部１２の形成とは別の工程で、位置合わせ用マークを形成する必要がなく、コストダウンを図ることができる。
【００２８】
また、例えば、図６（ｃ）に示すように、印刷や捺印により簡単に位置合わせ用マーク１２ｂを形成することも考えられる。
【００２９】
また、上述した実施例では、ハウジング部１２の長手方向側面に給電ライン１３の引出口を設け、給電ライン１３の引出口を上下方向の何れに向けても取り付けられる例について説明していた。しかしながら、例えば、ハウジング部１２の短手方向側面に給電ライン１３の引出口を設け、給電ライン１３の引出口を左右方向の何れに向けても取り付けられるようにすることも考えられる。以上の構成により、給電部１０をフロントガラスの右端に、給電ライン１３の引出口が右方向に向かうように取り付けても、左端に、給電ライン１３の引出口が左方向に向かうようにも取り付けても、位置合わせ用マーク１２ｂによる位置合わせを行うことができる。つまり、左方向用と右方向用の給電部を共通化でき、コスト的に有効となる。
【００３０】
さらに、図７に示すように、給電端子１１が引き出されている背面に対向する正面の略中央から、給電ライン１３を引き出すことも考えられる。この場合、給電ライン１３の引出口から上下方向にハウジング部１２の端部まで延在する収容溝１４を設け、収容溝１４により給電ライン１３を収容して、ホールドすると、見た目もすっきりする。また、図７では、上下方向に収容溝１４を設けていたが、左右方向に収容溝１４を設けることも考えられる。
【００３１】
また、図７では、給電ライン１３の引出口をハウジング部１２の正面略中央に設けているが、この給電ライン１３の引出口を、ハウジング部１２の側面において収容溝１４の端部と背面との間に設けてもよい。この場合、図５（ａ）のように取り付ける際に、収容溝１４に給電ライン１３を収容してホールドすることができ見た目がすっきりする。また、収容溝１４で給電ライン１３をホールドした後に収容部分にシール等を上から貼り付けることでホールド力がアップし、さらにシール等で収容部分の給電ライン１３を隠すことで見た目がより良くなる。
【００３２】
また、上述した実施例では、ハウジング部１２に位置合わせ用マーク１２ｂを形成したが、例えば、図８に示すように、ハウジング部１２の外形５１が描かれた位置合わせシール５０をフィルムアンテナ２０に貼れば、ハウジング部１２に位置合わせ用マークを形成する必要がない。このように位置合わせ用マークを形成しない場合であっても、ハウジング部１２の形状を点対称にすれば、１８０度回転させた状態であっても、位置合わせシールに描かれた外形５１を用いて位置合わせ可能に取り付けることができる。
【図面の簡単な説明】
【００３３】
【図１】従来の給電部１０の一例を示す背面図である。
【図２】図１に示す給電部１０が接続される車両アンテナの一例を示す図である。
【図３】図１に示す従来の給電部１０の車両への取付例を説明するための図である。
【図４】本発明の車両アンテナ用コネクタとしての給電部１０の一実施例を示す図である。
【図５】図４に示す給電部１０の車両への取付例を説明するための図である。
【図６】本発明の車両アンテナ用コネクタとしての給電部１０の他の一実施例を示す図である。
【図７】本発明の車両アンテナ用コネクタとしての給電部１０の他の一実施例を示す図である。
【図８】位置合わせシール５１を貼り付けた状態のフィルムアンテナ２０を示す図である。
【符号の説明】
【００３４】
１１    給電端子
１２    ハウジング部
１２ｂ  位置合わせ用マーク
１４    収容溝
２０    フィルムアンテナ（車両アンテナ）
Ａ      中心点（所定の点）
【図１】
2005294955.tif 000003
【図２】
2005294955.tif 000004
【図３】
2005294955.tif 000005
【図４】
2005294955.tif 000006
【図５】
2005294955.tif 000007
【図６】
2005294955.tif 000008
【図７】
2005294955.tif 000009
【図８】
2005294955.tif 000010